(57)【要約】【課題】圧力分布検知エリアにおける圧力分布をより高い精度で検知できる圧力分布検知装置の提供。【解決手段】圧力分布検知装置１０は、圧力分布検知エリア１０Ａに広がる織物１１（本体）と圧力分布検知エリア１０Ａにかかる圧力分布を検知する検知装置１２とを備える。織物１１は、圧力分布検知エリア１０Ａに位置される部分に受ける荷重に応じて静電容量が変化する感圧セル１１Ｉを有する。検知装置１２は、感圧セル１１Ｉと電気的に接続された対照セル１１Ｊと、感圧セル１１Ｉの静電容量の変化に対照セル１１Ｊにおける混線信号の補正をかける補正手段とを有する。【選択図】図２
2018105827.tif 000002
【特許請求の範囲】
【請求項１】
所定の圧力分布検知エリアにおける圧力分布の検知を行うことが可能な圧力分布検知装置において、
前記圧力分布検知エリアの全域にわたって広がるように配設される本体と、
前記本体において前記圧力分布検知エリアに位置される部分にかかる圧力分布を検知する検知装置と、
を備え、
前記本体において前記圧力分布検知エリアに位置される部分には、受ける荷重に応じて静電容量が変化するコンデンサである感圧セルが形成され、
前記検知装置は、前記感圧セルと電気的に接続されたコンデンサである対照セルと、前記感圧セルにおける静電容量の変化量に、前記対照セルにおける静電容量の変化量として検出される混線信号の補正をかける補正手段とを有する、
圧力分布検知装置。
【請求項２】
請求項１に記載された圧力分布検知装置であって、
前記対照セルは、荷重を受けてひずむと静電容量が変化するコンデンサであり、かつ、前記対照セルのひずみを抑制するコーティングによって前記本体上に固められた状態に設けられている、
圧力分布検知装置。
【請求項３】
請求項１に記載された圧力分布検知装置であって、
前記対照セルは、荷重を受けてひずむと静電容量が変化するコンデンサであり、かつ、前記対照セルが受ける荷重を抑えるカバーによって覆われた状態で前記本体上に設けられている、
圧力分布検知装置。
【請求項４】
請求項１に記載された圧力分布検知装置であって、
前記対照セルが、前記本体に外付けされたコンデンサである、
圧力分布検知装置。
【請求項５】
請求項１ないし請求項４のうちのいずれか１項に記載された圧力分布検知装置であって、
前記本体は、経糸と緯糸とを互いに織り合わせて構成された織物であり、かつ、前記圧力分布検知エリアの全域および当該圧力分布検知エリアから隔離された隔離エリアの両方にわたって広がるように配設され、
前記織物において緯方向に並ぶ経糸は、導体の繊維を絶縁体で覆った構成の経糸である導電経糸が緯方向に並ぶ導電経糸領域と、絶縁体からなる経糸である絶縁経糸が緯方向に並ぶ絶縁経糸領域と、が緯方向に交互に並べられた構造を呈し、
前記織物において経方向に並ぶ緯糸は、導体の繊維を絶縁体で覆った構成の緯糸である導電緯糸が経方向に並ぶ導電緯糸領域と、絶縁体からなる緯糸である絶縁緯糸が経方向に並ぶ絶縁緯糸領域と、が経方向に交互に並べられた構造を呈し、
前記織物において前記圧力分布検知エリアに位置される部分には、前記導電経糸領域と前記導電緯糸領域とが交差される複数箇所に、前記導電経糸と前記導電緯糸とが織り合わされたコンデンサが前記感圧セルとして形成され、
前記織物において前記隔離エリアに位置される部分には、前記導電経糸領域と前記導電緯糸領域とが交差される少なくとも１箇所に、前記導電経糸と前記導電緯糸とが織り合わされたコンデンサが前記対照セルとして形成され、
前記感圧セルは、当該感圧セルにおける前記導電経糸と前記導電緯糸との距離の変化に応じて静電容量を変化させる、
圧力分布検知装置。
【請求項６】
請求項５に記載された圧力分布検知装置であって、
前記織物は、タッチによる圧力が所定の一方側からかかるように配設され、
前記圧力分布検知エリアは、前記隔離エリアと比して前記一方側に張り出した位置に設定されている、
圧力分布検知装置。
【発明の詳細な説明】
【技術分野】
【０００１】
本発明は、圧力分布検知エリアにおける圧力分布の検知を行う圧力分布検知装置に関する。
【背景技術】
【０００２】
従来、圧力分布の検知を行うことが可能な圧力分布検知装置において、圧力分布検知エリアに配された織物を用いるものが存在する（例えば特許文献１を参照）。ここで、特許文献１の技術では、絶縁糸を織り合わせた織物の中に導電糸が経緯に配されて、これらの導電糸が交差される複数箇所がコンデンサとされた構成を有する。そして、圧力分布検知装置は、その織物の各コンデンサにかかる圧力の分布を、その各導電糸間の静電容量に基づいて検知する。
【先行技術文献】
【特許文献】
【０００３】
【特許文献１】国際公開第２０１６／０５３６２４号
【発明の概要】
【発明が解決しようとする課題】
【０００４】
しかし、上記特許文献１に記載された圧力分布検知装置は、その織物の各コンデンサが互いに隣り合って電気的につながった状態に並んでいるため、各コンデンサに混線が生じてこれらのコンデンサの静電容量を正確に求めることができないものであった。これには、織物の各コンデンサにかかる圧力分布の情報を正確に求めることができなくなるという問題がある。
【０００５】
本発明の課題は、織物のコンデンサの並びにおける各コンデンサの静電容量から圧力分布を検知する際に補正処理を行うことで、圧力分布検知エリアにおける圧力分布をより高い精度で検知することを可能とするものである。
【課題を解決するための手段】
【０００６】
本発明における１つの特徴によると、所定の圧力分布検知エリアにおける圧力分布の検知を行うことが可能な圧力分布検知装置が提供される。この圧力分布検知装置は、圧力分布検知エリアの全域にわたって広がるように配設される本体と、本体において圧力分布検知エリアに位置される部分にかかる圧力分布を検知する検知装置とを備える。本体において圧力分布検知エリアに位置される部分には、受ける荷重に応じて静電容量が変化するコンデンサである感圧セルが形成される。検知装置は、感圧セルと電気的に接続されたコンデンサである対照セルと、感圧セルにおける静電容量の変化量に、対照セルにおける静電容量の変化量として検出される混線信号の補正をかける補正手段とを有する。
【０００７】
本発明の圧力分布検知装置は、圧力分布検知エリアにおける圧力分布を検知する際に、圧力分布検知エリアに形成されたコンデンサである感圧セルの静電容量の変化量を求める。ここで、感圧セルと電気的に接続されたコンデンサである対照セルは、この対照セルに圧力がかからない場合でも、感圧セルからの混線信号のために見かけ上の静電容量が変化する。その上で、圧力分布検知装置は、感圧セルの静電容量の変化量に含まれる混線信号の誤差を、対照セルにおける見かけ上の静電容量の変化量に基づいて補正することができる。このように、圧力分布検知エリアにおける圧力分布の情報を感圧セルの静電容量から求める際に補正処理を行うことで、圧力分布検知エリアにおける圧力分布をより高い精度で検知することが可能となる。
【０００８】
上記圧力分布検知装置における態様の１つにおいては、対照セルは、荷重を受けてひずむと静電容量が変化するコンデンサである。この態様における好ましい実施形態の１つにおいては、対照セルは、この対照セルのひずみを抑制するコーティングによって本体上に固められた状態に設けられている。この構成によれば、対照セルを固めるコーティングにより対照セルのひずみを抑えることで、このひずみが混線信号を変動させることによる荷重の分布の誤差を抑えることができる。
【０００９】
上記態様における別の好ましい実施形態の１つにおいては、対照セルは、この対照セルが受ける荷重を抑えるカバーによって覆われた状態で本体上に設けられている。この構成によれば、対照セルを覆うカバーにより対照セルにかかる荷重を抑えてこの対照セルのひずみを抑えることで、このひずみが混線信号を変動させることによる荷重の分布の誤差を抑えることができる。
【００１０】
上記圧力分布検知装置における他の実施形態の１つでは、対照セルは、本体に外付けされたコンデンサである。この構成によれば、圧力分布検知装置の織物に対する対照セルの配置を適宜に変更することができる。
【００１１】
上記圧力分布検知装置における好ましい実施形態の１つにおいては、本体を、経糸と緯糸とを互いに織り合わせて構成された織物とすることができる。この場合、織物は、圧力分布検知エリアの全域およびこの圧力分布検知エリアから隔離された隔離エリアの両方にわたって広がるように配設される。織物において緯方向に並ぶ経糸は、導体の繊維を絶縁体で覆った構成の導電糸である導電経糸が緯方向に並ぶ導電経糸領域と、絶縁体からなる経糸である絶縁経糸が緯方向に並ぶ絶縁経糸領域と、が緯方向に交互に並べられた構造を呈する。織物において経方向に並ぶ緯糸は、導体の繊維を絶縁体で覆った構成の導電糸である導電緯糸が経方向に並ぶ導電緯糸領域と、絶縁体からなる緯糸である絶縁緯糸が経方向に並ぶ絶縁緯糸領域と、が経方向に交互に並べられた構造を呈する。織物において圧力分布検知エリアに位置される部分には、導電経糸領域と導電緯糸領域とが交差される複数箇所に、導電経糸と導電緯糸とが織り合わされたコンデンサが感圧セルとして形成される。織物において隔離エリアに位置される部分には、導電経糸領域と導電緯糸領域とが交差される少なくとも１箇所に、導電経糸と導電緯糸とが織り合わされたコンデンサが対照セルとして形成される。感圧セルは、この感圧セルにおける導電経糸と導電緯糸との距離の変化に応じて静電容量を変化させる。
【００１２】
上記実施形態の１つにおいては、圧力分布検知装置の織物は、タッチによる圧力が所定の一方側からかかるように配設される。また、圧力分布検知エリアは、隔離エリアと比して上記一方側に張り出した位置に設定される。この場合、圧力分布検知エリアへのタッチに際してあやまって対照セルにタッチしてしまうことを減らして、圧力分布検知エリアにおける圧力分布を検知する精度が低下されることを抑えることができる。
【図面の簡単な説明】
【００１３】
【図１】一実施形態にかかる圧力分布検知装置を表した正面図である。
【図２】図１の圧力分布検知装置から絶縁糸を透過させた透過図である。
【図３】図１の検知装置の構成を表したブロック図である。
【図４】図３の処理装置の処理を表したフローチャートである。
【図５】圧力分布を検知する第１の実験において、感圧セルの補正前の静電容量から求めた荷重の分布を表した強度グラフの部分拡大図である。
【図６】圧力分布を検知する第１の実験において、感圧セルの補正後の静電容量から求めた荷重の分布を表した強度グラフの部分拡大図である。
【図７】圧力分布を検知する第２の実験において、感圧セルの補正前の静電容量から求めた荷重の分布を表した強度グラフである。
【図８】圧力分布を検知する第２の実験において、感圧セルの補正後の静電容量から求めた荷重の分布を表した強度グラフである。
【発明を実施するための形態】
【００１４】
以下に、本発明を実施するための形態について、図面を用いて説明する。一実施形態にかかる圧力分布検知装置１０は、図１に示すように、経方向に延びる経糸と緯方向に延びる緯糸とを互いに織り合わせて構成した織物１１を本体として備えている。また、圧力分布検知装置１０は、織物１１に接続された検知装置１２を備えて、この検知装置１２によって織物１１上で経緯に広がる圧力分布検知エリア１０Ａにおける圧力分布の検知を行う。
【００１５】
織物１１は、例えば床（図示せず）などの平らな面の上に広げられることで、圧力分布検知エリア１０Ａの全域およびこの圧力分布検知エリア１０Ａから隔離された隔離エリア１０Ｂの両方にわたって広がるように配設される。ただし、織物１１は、その端縁を張り枠（図示せず）に固定してこの張り枠に張設してもよい。この場合、圧力分布検知エリア１０Ａを空中に設定して織物１１の表裏両側からタッチによる圧力をかけることができる。なお、本実施形態においては、織物１１は、成人がその上で横になることが可能なサイズに形成されている。また、織物１１において、圧力分布検知エリア１０Ａは織物１１の経方向および緯方向に広がる長方形状のエリアであり、隔離エリア１０Ｂは圧力分布検知エリア１０Ａの経緯の辺に沿って延びるＬ字状のエリアである。
【００１６】
ところで、織物１１は、それぞれが経糸と緯糸とを織り合わせた構成を有する表裏２枚の組織を、これらの各組織間で経糸および緯糸を点で交錯させる結節点を複数設定することで一体化した構造をなす二重織の織物である。織物１１において、二重織を構成する２つの組織のうち表側の組織は、絶縁体からなる絶縁糸を地糸とし、導体の繊維を絶縁体で覆った構成の導電糸を緯糸の一部として埋め込んだ組織とされる。また、上記２つの組織のうち裏側の組織は、絶縁体からなる絶縁糸を地糸とし、導体の繊維を絶縁体で覆った構成の導電糸を経糸の一部として埋め込んだ組織とされる。
【００１７】
すなわち、織物１１の表側（図１でみて紙面手前側）の組織において、緯糸は、導体の繊維を絶縁体で覆った構成の導電糸である導電緯糸１１Ｅと、絶縁体からなる絶縁糸である絶縁緯糸１１Ｇと、の２種類の緯糸からなる。ここで、導電緯糸１１Ｅおよび絶縁緯糸１１Ｇの２種類の緯糸は、織物１１の経方向に並ぶ。
【００１８】
また、織物１１の裏側（図２でみて紙面奥側）の組織において、経糸は、図２に示すように、導体の繊維を絶縁体で覆った構成の導電糸である導電経糸１１Ａと、絶縁体からなる絶縁糸である絶縁経糸１１Ｃと、の２種類の経糸からなる。ここで、導電経糸１１Ａおよび絶縁経糸１１Ｃの２種類の経糸は、織物１１の緯方向に並ぶ。なお、織物１１を表側から見た場合、導電経糸１１Ａは絶縁経糸１１Ｃの間に列をなして並ぶ二重織の結節点として視認される（図１参照）。
【００１９】
ところで、織物１１の裏側（図２でみて紙面奥側）の組織において、経糸の並びは、導電経糸１１Ａのみが緯方向に並ぶ導電経糸領域１１Ｂと、絶縁経糸１１Ｃのみが緯方向に並ぶ絶縁経糸領域１１Ｄと、が緯方向に交互に並べられた構造を呈している。また、織物１１の表側（図１でみて紙面手前側）の組織において、緯糸の並びは、導電緯糸１１Ｅのみが経方向に並ぶ導電緯糸領域１１Ｆと、絶縁緯糸１１Ｇのみが経方向に並ぶ絶縁緯糸領域１１Ｈと、が経方向に交互に並べられた構造を呈している。このため、導電経糸領域１１Ｂと導電緯糸領域１１Ｆとが交差される複数箇所には、それぞれ導電経糸領域１１Ｂと導電緯糸領域１１Ｆとが対向されて導電緯糸１１Ｅと導電経糸１１Ａとが織り合わされたコンデンサ（図２参照）が形成される。
【００２０】
ここで、織物１１において、導電経糸領域１１Ｂおよび導電緯糸領域１１Ｆは、隔離エリア１０Ｂに位置される部分に１本ずつ配設され、圧力分布検知エリア１０Ａに位置される部分に多数本が密に配設されるように並べられている。このため、上記複数のコンデンサの一部は、図２に示すように、織物１１において圧力分布検知エリア１０Ａに位置される部分に経緯に並んだ状態に配されて、圧力分布検知エリア１０Ａにかかる圧力分布を検知するための感圧セル１１Ｉとされる。また、上記複数のコンデンサの一部は、織物１１において隔離エリア１０Ｂに位置される部分にＬ字状の列をなして配されて、感圧セル１１Ｉから隔離された対照セル１１Ｊとされる。これらの対照セル１１Ｊは、各対照セル１１Ｊをなす導電経糸領域１１Ｂの導電経糸１１Ａおよび導電緯糸領域１１Ｆの導電緯糸１１Ｅと電気的に接続される。
【００２１】
さて、検知装置１２は、図３に示すように、それぞれが互いに異なる周期信号を発振する発振回路１２Ａを、織物１１における導電経糸領域１１Ｂの本数と同じ数だけ備えている。また、検知装置１２は、複数の経路からの出力を分離した状態で取り出すマルチプレクサ１２Ｃを備えている。また、検知装置１２は、マルチプレクサ１２Ｃが取り出した出力に基づいて前もって設定された処理を実行する処理装置１２Ｄを備えている。また、検知装置１２は、処理装置１２Ｄの処理結果を外部に表示するディスプレイ１２Ｅを備えている。また、検知装置１２は、発振回路１２Ａ、マルチプレクサ１２Ｃ、処理装置１２Ｄ、および、ディスプレイ１２Ｅを収納するきょう体１２Ｆを備えている。
【００２２】
各発振回路１２Ａは、きょう体１２Ｆにきょう体接地された状態で、所定の周波数の矩形波交流電流を持続的に作り、この矩形波交流電流を周期信号として発振する。これらの周期信号は、織物１１の各導電経糸領域１１Ｂにそれぞれ別個に印加される。この際、上記周期信号は、圧力分布検知エリア１０Ａを通る各導電経糸領域１１Ｂにはとめ接続されたフレキシブルフラットケーブル１０Ｃまたは隔離エリア１０Ｂを通る導電経糸領域１１Ｂにはとめ接続された被膜線１０Ｅ（図２参照）を介して印加される。ここで、図２においては、フレキシブルフラットケーブル１０Ｃおよび被膜線１０Ｅは、織物１１において対照セル１１Ｊよりも圧力分布検知エリア１０Ａ寄りとなる部分ではとめ接続されている。ただし、フレキシブルフラットケーブル１０Ｃおよび被膜線１０Ｅは、織物１１において対照セル１１Ｊよりも縁部寄りとなる部分ではとめ接続されていてもよい。なお、フレキシブルフラットケーブル１０Ｃは、その内部に複数の電流経路を互いに絶縁された状態に備えているため、図３においては複数本に分割して描いている。
【００２３】
マルチプレクサ１２Ｃは、織物１１の各導電緯糸領域１１Ｆからの出力を、これらの導電緯糸領域１１Ｆにはとめ接続されたフレキシブルフラットケーブル１０Ｄおよび被膜線１０Ｆ（図２参照）を介して取り出す。ここで、フレキシブルフラットケーブル１０Ｄは圧力分布検知エリア１０Ａを通る各導電緯糸領域１１Ｆにはとめ接続され、被膜線１０Ｆは隔離エリア１０Ｂを通る導電緯糸領域１１Ｆにはとめ接続される。ここで、図２においては、フレキシブルフラットケーブル１０Ｄおよび被膜線１０Ｆは、織物１１において対照セル１１Ｊよりも圧力分布検知エリア１０Ａ寄りとなる部分ではとめ接続されている。ただし、フレキシブルフラットケーブル１０Ｄおよび被膜線１０Ｆは、織物１１において対照セル１１Ｊよりも縁部寄りとなる部分ではとめ接続されていてもよい。なお、フレキシブルフラットケーブル１０Ｄは、その内部に複数の電流経路を互いに絶縁された状態に備えているため、図３においては複数本に分割して描いている。
【００２４】
処理装置１２Ｄは、図４のフローチャートに示す複数の処理を実行する。すなわち、処理装置１２Ｄは、各発振回路１２Ａの周期信号を取得し（ステップＳ１）、マルチプレクサ１２Ｃが取り出した出力を取得して（ステップＳ２）、これらから各感圧セル１１Ｉおよび各対照セル１１Ｊの見かけ上の静電容量を導出する（ステップＳ３）。なお、上記見かけ上の静電容量は、ステップＳ１で周期信号として取得した矩形波交流電流と、ステップＳ２で取得した出力とを、その振幅または位相で対比することによって求めることができるものである。
【００２５】
ここで、感圧セル１１Ｉおよび対照セル１１Ｊの静電容量は、対象のセル（感圧セル１１Ｉまたは対照セル１１Ｊ）が受ける圧力に応じて、このセルを構成する導電経糸１１Ａと導電緯糸１１Ｅ（図２参照）との距離が変化する（すなわちひずむ）ことによって変動する。また、処理装置１２Ｄが上記ステップＳ３にて導出する感圧セル１１Ｉおよび対照セル１１Ｊの見かけ上の静電容量は、対象以外のセル（感圧セル１１Ｉまたは対照セル１１Ｊ）の静電容量が変動することにより生じる混線信号によっても変動する。
【００２６】
そこで、処理装置１２Ｄは、対照セル１１Ｊには圧力がかかっていないものとみなして、この対照セル１１Ｊの静電容量の変化量を上記混線信号として検出し（ステップＳ４）、検出した混線信号で感圧セル１１Ｉの見かけ上の静電容量を補正する（ステップＳ５）。この補正は、補正対象の感圧セル１１Ｉにおける見かけ上の静電容量から、この感圧セル１１Ｉと導電経糸１１Ａまたは導電緯糸１１Ｅを共有する対照セル１１Ｊの各混線信号の線形和を引く処理とすることができる。そして、処理装置１２Ｄは、補正後の感圧セル１１Ｉの静電容量からこの感圧セル１１Ｉが受ける圧力を導出する（ステップＳ６）。すなわち、処理装置１２Ｄは、導出した各感圧セル１１Ｉおよび各対照セル１１Ｊの静電容量に基づいて、各感圧セル１１Ｉが受ける圧力を導出する。この際、処理装置１２Ｄは、本発明における「補正手段」として機能する。
【００２７】
そして、処理装置１２Ｄは、上記ステップＳ６の導出結果に基づいて、圧力分布検知エリア１０Ａにて織物１１にかかる圧力分布を検知し（ステップＳ７）、検知結果をディスプレイ１２Ｅに出力する（ステップＳ８）。このディスプレイ１２Ｅは、処理装置１２Ｄの出力を、圧力分布検知エリア１０Ａにおける圧力分布を表す強度グラフの画像として、この画像を外部に向けてリアルタイムで表示する。
【００２８】
上述した各構成においては、圧力分布検知エリア１０Ａにおける圧力分布を検知する際に、圧力分布検知エリア１０Ａに並んで形成されたコンデンサである感圧セル１１Ｉの静電容量の変化量を求める。ここで、感圧セル１１Ｉと電気的に接続されたコンデンサである対照セル１１Ｊは、この対照セル１１Ｊに圧力がかからない場合でも、感圧セル１１Ｉからの混線信号のために見かけ上の静電容量が変化する。その上で、圧力分布検知装置１０は、感圧セル１１Ｉの静電容量の変化量に含まれる混線信号の誤差を、対照セル１１Ｊにおける見かけ上の静電容量の変化量に基づいて補正することができる。このように、織物１１における圧力分布の情報を感圧セル１１Ｉの並びにおける各感圧セル１１Ｉの静電容量から求める際に補正処理を行うことで、圧力分布検知エリア１０Ａにおける圧力分布をより高い精度で検知することが可能となる。
【００２９】
なお、本発明者は、本発明の有効性を実験によって確認している。以下、この実験について説明する。本発明者は、図１に示す圧力分布検知装置１０と同様の各構成を有する圧力分布検知装置に、この圧力分布検知装置が処理する各種データを収集するデータロガー（図示せず）を外付けした装置を使用して、圧力分布の検知を行う第１および第２の実験を行った。この第１および第２の実験においては、処理装置が導出する感圧セルの補正前の静電容量をデータロガーにより収集し、収集した静電容量から圧力分布検知エリアにて織物にかかる圧力分布を求めた。そして、求めた圧力分布を強度グラフの画像として、この画像を圧力分布検知装置のディスプレイに表示される、感圧セルの補正後の静電容量から求められた強度グラフと比較した。
【００３０】
上記第１の実験では、上面が平らな台の上に圧力分布検知装置の織物を載せ、この織物上に設定された圧力分布検知エリアの３か所に木の板を載せた。これらの木の板には、それぞれ同じ重さの鉄製のおもしを載せた。この第１の実験では、図５に示すように、感圧セルの補正前の静電容量から求めた荷重の分布において、木の板が置かれた３か所とは別に、木の板が置かれていない場所にも荷重の集中が確認された。これは、圧力分布検知装置の織物上の各コンデンサに混線が生じると実際にはタッチされていない場所に見かけ上のタッチが検出されることを意味する。また、感圧セルの補正後の静電容量から求めた荷重の分布（図６参照）では、木の板が置かれた３か所のみに荷重の集中が確認された。これは、上記見かけ上のタッチは、感圧セルの静電容量の変化量に含まれる混線信号の誤差を補正することによってなくすことができることを意味する。
【００３１】
上記第２の実験では、平らな床の上に圧力分布検知装置の織物を敷き、この織物上で成人が側臥位に横たわった。この第２の実験では、感圧セルの補正前の静電容量から求めた荷重の分布（図７参照）では１本の帯状に見える圧力分布を、混線信号の補正により横たわった人の姿勢を判別できる（図８参照）ほど精細にとらえることができることが分かった。
【００３２】
本発明は、上述した一実施形態で説明した外観、構成に限定されず、本発明の要旨を変更しない範囲で種々の変更、追加、削除が可能である。例えば、以下のような各種の形態を実施することができる。
【００３３】
（１）圧力分布検知装置の織物を、例えば物品の表面を覆うように広げられて、所定の一方側からのみタッチによる圧力がかかるように配設されたものとすることができる。この場合において、上記物品に凹みがあるときには、この凹みの内部に隔離エリアを設定して、圧力分布検知エリアを隔離エリアと比して上記一方側に張り出した位置に設定することが好ましい。この設定によれば、圧力分布検知エリアへのタッチに際してあやまって隔離エリアの対照セルにタッチしてしまうことを減らして、圧力分布検知エリアにおける圧力分布を検知する精度が低下されることを抑えることができる。
【００３４】
（２）図１に示す圧力分布検知装置１０においては、織物１１において隔離エリア１０Ｂに位置される部分が外部に露出されている。しかしながら、圧力分布検知装置の織物は、この織物において隔離エリアに位置される部分が対照セルにかかる荷重を抑えるカバーによって覆われていてもよい。この構成によれば、隔離エリアの対照セルをカバーで覆ってこの対照セルにかかる荷重を抑えてこの対照セルのひずみを抑えることで、圧力分布検知エリアにおける圧力分布を検知する精度が低下されることを抑えることができる。
【００３５】
（３）圧力分布検知装置の織物は二重織の織物に限定されず、平織およびからみ織を含む任意の製織方法で作られた織物とすることができる。ここで、圧力分布検知装置の織物が貫通孔である透き目を有する織物である場合、この透き目にリード線方式のコンデンサのリード線を挿し込んでこのコンデンサを対照セルとすることで、織物に対照セルを外付けされた状態に設けることができる。この構成によれば、圧力分布検知装置の織物に対する対照セルの配置を適宜に変更することができる。
【００３６】
（４）タッチ位置検知装置の織物を、この織物に形成される感圧セルおよび対照セルが外部の湿度変化の影響を受けることを抑える防湿シートで覆われたものとすることができる。
【００３７】
（５）本発明において、圧力分布検知エリアおよび隔離エリアの形状および相対位置は上述したものに限定されず、例えば隔離エリアを取り巻く環状に圧力分布検知エリアを設定してもよい。
【００３８】
（６）図１に示す圧力分布検知装置１０においては、織物１１において隔離エリア１０Ｂに位置される部分が外部に露出されている。しかしながら、圧力分布検知装置の織物は、この織物において隔離エリアに位置される部分が対照セルのひずみを抑制するコーティングによって固められていてもよい。この構成によれば、隔離エリアの対照セルをコーティングで固めてこの対照セルのひずみを抑えることで、圧力分布検知エリアにおける圧力分布を検知する精度が低下されることを抑えることができる。
【００３９】
（７）本発明において、圧力分布検知装置の本体をなす織物を、例えば帯状の電極が縦横に配されて、これらの電極が交差される複数箇所がコンデンサとされた構成を有する網代編みのシートに置き換えることができる。
【符号の説明】
【００４０】
１０    圧力分布検知装置
１０Ａ  圧力分布検知エリア
１０Ｂ  隔離エリア
１０Ｃ  フレキシブルフラットケーブル
１０Ｄ  フレキシブルフラットケーブル
１０Ｅ  被膜線
１０Ｆ  被膜線
１１    織物（本体）
１１Ａ  導電経糸
１１Ｂ  導電経糸領域
１１Ｃ  絶縁経糸
１１Ｄ  絶縁経糸領域
１１Ｅ  導電緯糸
１１Ｆ  導電緯糸領域
１１Ｇ  絶縁緯糸
１１Ｈ  絶縁緯糸領域
１１Ｉ  感圧セル
１１Ｊ  対照セル
１２    検知装置
１２Ａ  発振回路
１２Ｃ  マルチプレクサ
１２Ｄ  処理装置
１２Ｅ  ディスプレイ
１２Ｆ  きょう体
【図１】
2018105827.tif 000003
【図２】
2018105827.tif 000004
【図３】
2018105827.tif 000005
【図４】
2018105827.tif 000006
【図５】
2018105827.tif 000007
【図６】
2018105827.tif 000008
【図７】
2018105827.tif 000009
【図８】
2018105827.tif 000010